(57)【要約】【課題】イメージングカートリッジの着脱方向の異なる２つ又はそれ以上の画像形成装置本体のいずれにも装着できる接点を備え、共通使用することができるようにする。【解決手段】画像形成装置本体１０に着脱可能なケーシング２と、画像形成に必要な要素３，４，５，６と、画像形成装置本体１０に装着したときに画像形成装置本体１０に設けた接点部材１４と電気的に接触して画像形成に必要な要素３，４，５，６に電圧が印可される接点９とを設けたイメージングカートリッジ１において、接点９をケーシング２の２以上の面２ａ，２ｂ，２ｃにわたって設けた。【選択図】図１
2010002701.tif 000002
【特許請求の範囲】
【請求項１】
画像形成装置本体に着脱可能なケーシングと、画像形成に必要な要素と、前記画像形成装置本体に装着したときに前記画像形成装置本体に設けた接点部材と電気的に接触して前記画像形成に必要な要素に電圧が印可される接点とを設けたイメージングカートリッジにおいて、
前記接点を前記ケーシングの２以上の面にわたって設けたことを特徴とするイメージングカートリッジ。
【請求項２】
前記接点は、前記ケーシングの第１面と、該第１面に隣接する第２面とが形成する交線部に設けたことを特徴とする請求項１に記載のイメージングカートリッジ。
【請求項３】
前記接点は、前記ケーシングの第１面と、該第１面に隣接する第２面と、前記第１面と第２面の両方に隣接する第３面とが形成する角部に設けたことを特徴とする請求項１に記載のイメージングカートリッジ。
【請求項４】
前記接点は、前記ケーシングの第１面と、該第１面に隣接する第２面とが形成する交線部に設け、前記第１面と前記第２面の少なくともいずれか一方に弾性支持したことを特徴とする請求項１に記載のイメージングカートリッジ。
【請求項５】
前記接点は、前記ケーシングの第１面と、該第１面に隣接する第２面とが形成する交線部に設け、
前記画像形成装置本体に装着したときに前記画像形成装置本体に設けた接点部材からの押圧力により、装着方向と直角方向に押圧されて、前記画像形成装置本体に設けた位置決め部に位置決めされることを特徴とする請求項１に記載のイメージングカートリッジ。
【請求項６】
前記請求項１から５のいずれかに記載の少なくとも１つのイメージングカートリッジと、前記イメージングカートリッジの前記接点と電気的に接続する接点部材とを備えたことを特徴とする画像形成装置。
【発明の詳細な説明】
【技術分野】
【０００１】
本発明は、複写機、ファクシミリ、プリンタ、複合機等のイメージングカートリッジ及びそれを備えた画像形成装置に関する。
【背景技術】
【０００２】
従来、この種の画像形成装置のイメージングカートリッジは、１つの画像形成装置本体に対して１方向に着脱することが前提になっており、装着方向の異なる２つの画像形成装置本体に対して着脱するようにはなっていない。
【０００３】
このような前提の基で、特許文献１には、カートリッジフレームの一端に、垂直方向の最下位置に現像バイアス接点、最上位置に帯電バイアス接点、装着方向の最上流側に検出接点、最下流側にアース接点をそれぞれ露出して設けたイメージングカートリッジが提案されている。また、特許文献２には、現像ローラ軸と接点を直接接続してイメージングカートリッジ内の接点部品の削減を図ったものが提案されている。さらに、特許文献３には、プロセスカートリッジの接点と画像形成装置本体の接点部材との接点圧方向がイメージングカートリッジの着脱方向とことなるようにしたものが提案されている。
【０００４】
ところが、従来のイメージングカートリッジは１方向の着脱を前提とした接点の配置設計を行っているため、新機種や次世代機において、操作性の観点からイメージングカートリッジの着脱方向を変更する場合には、新規にイメージングカートリッジを開発しなければならならず、多大な開発投資と開発期間を要するうえ、在庫管理も複雑になるという問題があった。
【０００５】
また、通常、接点はイメージングカートリッジの着脱方向の側面に配置され、また特許文献２のように現像ローラ軸と接点を直接接続するものでも接点が側面に位置するため、画像形成装置本体側の接点部材がイメージングカートリッジの接点に向かって突出する分、及び接点と接続する電気部品を配置する分だけ、幅方向のスペースが必要であった。
【０００６】
さらに、イメージングカートリッジを画像形成装置本体に装着したときにイメージングカートリッジを位置決めするのに押し付け部品が接点とは別個に必要であった。
【特許文献１】特開平８−１６０７２号公報
【特許文献２】特開平１１−２８８１６９号公報
【特許文献３】特開２００２−２４４３８２号公報
【発明の開示】
【発明が解決しようとする課題】
【０００７】
本発明は、イメージングカートリッジの着脱方向の異なる２つ又はそれ以上の画像形成装置本体のいずれにも装着できる接点を備え、共通使用することができるイメージングカートリッジ及びそれを備えた画像形成装置を提供することを課題とする。
また、側面に接点を配置しても画像形成装置本体の幅方向のスペースが拡大しないイメージングカートリッジ及びそれを備えた画像形成装置を提供することを課題とする。
さらに、イメージングカートリッジを画像形成装置本体に装着したときに、イメージングカートリッジを位置決めするのに押し付け部品を必要とせず、部品点数を低減することができるイメージングカートリッジ及びそれを備えた画像形成装置を提供することを課題とする。
【課題を解決するための手段】
【０００８】
前記課題を解決するために、第１の発明は、画像形成装置本体に着脱可能なケーシングと、画像形成に必要な要素と、前記画像形成装置本体に装着したときに前記画像形成装置本体に設けた接点部材と電気的に接触して前記画像形成に必要な要素に電圧が印可される接点とを設けたイメージングカートリッジにおいて、前記接点を前記ケーシングの２以上の面にわたって設けたものである。
【０００９】
前記接点は、前記ケーシングの第１面と、該第１面に隣接する第２面とが形成する交線部に設けることが好ましい。
【００１０】
前記接点は、前記ケーシングの第１面と、該第１面に隣接する第２面と、前記第１面と第２面の両方に隣接する第３面とが形成する角部に設けることが好ましい。
【００１１】
前記課題を解決するために、第２の発明は、前記第１の発明において、前記接点は、前記ケーシングの第１面と、該第１面に隣接する第２面とが形成する交線部に設け、前記第１面と前記第２面の少なくともいずれか一方に弾性支持したものである。
【００１２】
前記課題を解決するために、第３の発明は、前記第１の発明において、前記接点は、前記ケーシングの第１面と、該第１面に隣接する第２面とが形成する交線部に設け、前記画像形成装置本体に装着したときに前記画像形成装置本体に設けた接点部材からの押圧力により、装着方向と直角方向に押圧されて、前記画像形成装置本体に設けた位置決め部に位置決めされるようにしたものである。
【発明の効果】
【００１３】
第１の発明によれば、接点をケーシングの２以上の面にわたって設けたので、接点位置が異なる画像形成装置本体でも、接点の位置を設計変更することなく、装着することができ、イメージングカートリッジの共通化を図ることができ、在庫管理も容易に行える。
【００１４】
第２の発明によれば、接点を、ケーシングの第１面と第２面とが形成する交線部に設け、第１面と第２面の少なくともいずれか一方に弾性支持したので、画像形成装置本体側の接点部材がイメージングカートリッジの接点に向かって突出する寸法と、接点をオーバーラップさせることができ、画像形成装置本体の幅方向のスペースを縮小することができる。
【００１５】
第３の発明によれば、画像形成装置本体に設けた接点部材からの押圧力により、装着方向と直角方向に押圧されて、画像形成装置本体に設けた位置決め部に位置決めされるようにしたので、イメージングカートリッジを位置決めするのに押し付け部品を必要とせず、部品点数を低減することができる。
【発明を実施するための最良の形態】
【００１６】
以下、本発明の実施の形態を添付図面に従って説明する。
【００１７】
＜第１実施形態＞
図１、２は、本発明の第１実施形態に係るイメージングカートリッジ１ａを示す。イメージングカートリッジ１ａは、矩形箱状のケーシング２内に画像形成に必要なユニットとして、感光体ドラム３、帯電ローラ４、現像ローラ５、トナー供給ローラ６が収容されている。このうち、感光体ドラム３は、ケーシング２の長手方向に直交する水平方向の一方の端部に露出するように設けられている。
【００１８】
イメージングカートリッジ１ａの長手方向の両端面には、第１左ガイド７ａと第１右ガイド７ｂ（図３（ｂ）参照）がそれぞれ突設されている。第１左ガイド７ａと第１右ガイド７ｂはいずれも矩形板状であり、イメージングカートリッジ１ａの長手方向と直交する方向に延びている。
【００１９】
また、イメージングカートリッジ１ａの長手方向に直交する方向の前記感光体ドラム３と反対側の端部には第２ガイド８が突設されている。第２ガイド８は、矩形板状であり、イメージングカートリッジ１ａの長手方向に延びている。
【００２０】
イメージングカートリッジ１ａのケーシング２の外面は、装着の第１の方向Ｓ１に直交する奥側すなわち感光体ドラム３と反対側の第１面２ａ、第１の方向Ｓ１の左側の第２面２ｂ、第１の方向Ｓ１に対して上側の第３面２ｃ、第２面２ｂと反対側の第４面２ｄ、第３面２ｃと反対側の第５面２ｅを有している。ケーシング２の第１面２ａと第２面２ｂにわたって３つの接点９ａ，９ｂ，９ｃが形成されている。具体的には、第１面２ａと第２面２ｂの交線部に面取り部２ｆが形成され、この面取り部２ｆを横切るように第１面２ａから第２面２ｂにかけて帯状の接点９ａ，９ｂ，９ｃが形成されている。なお、第１面２ａのスリット２ｓは感光体ドラム３への露光窓である。
【００２１】
図２に示すように、接点９ａ，９ｂ，９ｃは、ケーシング２の内側を通って帯電ローラ４、現像ローラ５、トナー供給ローラ６に電気的に接続されているが、この接点９ａ，９ｂ，９ｃの接続関係は一例であって、感光体ドラム３に接続するさらなる接点を有していてもよい。
【００２２】
なお、ガイド７ａ，７ｂ，８の形状、位置は一例であり、これらに限るものではない。
【００２３】
前記構成からなるイメージングカートリッジ１ａは、装着方向の異なる複数の画像形成装置本体に着脱可能である。以下の実施例では、イメージングカートリッジ１ａは簡略化のため外形や接点の数が異なっているが、図１に示すものと同じである。
【００２４】
図３に示す第１の画像形成装置本体１０ａは、右側が正面で、この正面に開口部１１を有し、この開口部１１から、４つのイメージングカートリッジ１ａをその長手方向に直交する方向の第１の方向Ｓ１に着脱可能である。第１の画像形成装置本体１０ａには、イメージングカートリッジ１ａの第１左右ガイド７ａ，７ｂを支持する断面コ字形のガイド受け１２（一方のみ図示）が開口部１１の左右の壁に第１の方向Ｓ１に延びるように形成されている。また、第１の画像形成装置本体１０ａには、高圧電源基板１３と接続する接点部材１４が、イメージングカートリッジ１ａの装着方向奥側の壁に設けられている。この接点部材１４は、コイルばね１４ａからなり、コイルばね１４ａの他端はさらなるコイルばね１４ｂを介して高圧電源基板１３に接続され、イメージングカートリッジ１が装着されたときに、イメージングカートリッジ１ａの接点９に押圧されて圧縮し、電気的に接続するようになっている。
【００２５】
この第１の画像形成装置本体１０ａにイメージングカートリッジ１ａを第１の方向Ｓ１に装着する際には、第１左右ガイド７ａ，７ｂをガイド受け１２に挿入してスライドさせる。これにより、イメージングカートリッジ１ａの接点９が画像形成装置本体１０ａの接点部材１４と電気的に接触する。
【００２６】
図４に示す第２の画像形成装置本体１０ｂは、高圧電源基板１３と接点部材１５の位置と接点部材１５の構造を除き、図３に示す画像形成装置本体１０ａと同じ形態である。この画像形成装置本体１０ｂの高圧電源基板１３と接点１５は、イメージングカートリッジ１ａの装着の第１の方向Ｓ１の左側の壁に設けられている。接点部材１５は、屈曲し、この屈曲部分が装着されるイメージングカートリッジ１ａに向かって突出している。接点部材１５の一端は自由端で画像形成装置本体１０ｂの壁面に向かって延び、他端は画像形成装置本体１０ｂに支持された捩りばね１５ａの一端に接続されている。これにより、接点部材１５は、捩りばねを介して画像形成装置本体１０ｂに弾性支持されている。捩りばね１５ａの他端は、コイルばね１５ｂとなって電源基板１３に接続されている。
【００２７】
この第２の画像形成装置本体１０ｂにイメージングカートリッジ１ａを第１の方向Ｓ１に装着する際には、第１左右ガイド７ａ，７ｂをガイド受け１２に挿入してスライドさせる。これにより、イメージングカートリッジ１ａの接点９が画像形成装置本体１０ｂの接点部材１５と電気的に接触する。
【００２８】
図５に示す第３の画像形成装置本体１０ｃは、左側が正面で、この正面に開口部１１を有し、この開口部１１から、４つのイメージングカートリッジ１ａを図１の第１の方向Ｓ１と９０度異なる第２の方向Ｓ２、すなわちイメージングカートリッジ１ａの長手方向に沿う方向に着脱可能である。
【００２９】
第３の画像形成装置本体１０ｃには、イメージングカートリッジ１ａの第２ガイド８を支持する断面コ字形のガイド受け１６が第２の方向Ｓ２に延びるように開口部１１の左の壁に形成されている。また、イメージングカートリッジ１ａの装着時にイメージングカートリッジ１ａを下方から支持する支持板１７と、装着完了時点でイメージングカートリッジ１ａの第１ガイド７ｂが係合する係合溝１８が形成されている。さらに、第３の画像形成装置本体１０ｃには、高圧電源基板１３と接続する接点部材１９が、イメージングカートリッジ１ａの装着方向左側の壁に設けられている。接点部材１９の構成は、図４に示す接点部材１４と同様、捩りばね１９ａとコイルばね１９ｂを有している。
【００３０】
この第３の画像形成装置本体１０ｃにイメージングカートリッジ１ａを第２の方向Ｓ２に装着するには、第２ガイド８をガイド受け１６に挿入してスライドさせる。これにより、イメージングカートリッジ１ａの接点９が第２の画像形成装置本体１０ｃの接点部材１９と電気的に接触する。
【００３１】
＜変形例＞
図６は、図１の第１実施形態のイメージングカートリッジ１ａの変形例であるイメージングカートリッジ１ｂを示す。このイメージングカートリッジ１ｂは、図１のイメージングカートリッジ１ａの接点９ａ，９ｂの代わりに、３つの面にわたる接点２０を設けたものである。すなわち、接点２０は、第１面２ａと、第２面２ｂと、第３面２ｃが形成する面取りされた角部２ｇに設けられ、この角部２ｇに位置する中央部２０ａと、この中央部２０ａから第１面２ａに連続する部分２０ｂと、第２面２ｂに連続する部分２０ｃと、第３面２ｃに連続する部分２０ｄとからなっている。
【００３２】
図７に示すように、接点２０は、ケーシング２の内側を通って現像ローラ５に電気的に接続されているが、この接点の接続関係は一例であって、感光体ドラム３やその他の要素に接続してもよい。
【００３３】
前記構成からなるイメージングカートリッジ１ｂは、装着方向の異なる複数の画像形成装置本体に着脱可能である。
【００３４】
図８の画像形成装置本体１０ａは、図３（ａ）の画像形成装置本体１０ａと同一であるので説明を省略する。この画像形成装置本体１０ａにイメージングカートリッジ１ｂを第１の方向Ｓ１に装着すると、イメージングカートリッジ１ｂの接点２０が画像形成装置本体１０ａの接点部材１４と電気的に接触する。
【００３５】
図９の画像形成装置本体１０ｂは、図４（ａ）の画像形成装置本体１０ｂと同一であるので説明を省略する。この画像形成装置本体１０ｂにイメージングカートリッジ１ｂを第１の方向Ｓ１に装着すると、イメージングカートリッジ１ｂの接点２０が画像形成装置本体１０ｂの接点部材１５と電気的に接触する。
【００３６】
図１０の画像形成装置本体１０ｄは、接点部材２１の構成を除いて、図８の画像形成装置本体１０ｃと同一であるので説明を省略する。接点部材２１は、装着されるイメージングカートリッジ１ｂの第３面２ｃと対向する位置に設けた支持板２２の下面に下方に突出するように設けられている。接点部材２１の構成は、図４に示す接点部材１５と同様、捩りばね２１ａとコイルばね２１ｂを有している。この支持板は２２、上方に位置するイメージングカートリッジ１ｂを支持するものでもある。
【００３７】
この画像形成装置本体１０ｄにイメージングカートリッジ１ｂを第１の方向Ｓ１に装着すると、イメージングカートリッジ１ｂの接点２０が画像形成装置本体１０ｄの接点部材２１と電気的に接触する。
【００３８】
＜第２実施形態＞
図１１，１２は、本発明の第２実施形態に係るイメージングカートリッジ１ｃを示す。このイメージングカートリッジ１ｃは、接点２３の構造を除いて、図１のイメージングカートリッジ１ａと実質的に同一であるので、対応する部分には同一符号を附して説明を省略する。
【００３９】
イメージングカートリッジ１ｃのケーシング２の第１面２ａと第２面２ｂとの間の面取り部２ｆを横切るように第１面２ａから第２面２ｂにかけてスプリングワイヤからなる２つの接点２３が形成されている。上方の接点２３は、約９０°屈曲され、一端は自由端で第１面２ａに向かって延び、他端はケーシング２に支持された第１捩りばね２３ａの一端に接続されている。これにより、接点２３は、第１捩りばね２３ａを介してケーシング２に弾性支持されている。第１捩りばね２３ａの他端は、ケーシング２の内側を通って現像ローラ５の近傍まで延び、ここでケーシング２に支持された第２捻りばね２３ｂの一端に接続されている。第２捩りばね２３ｂの他端は自由端で、現像ローラ５の軸に圧接して、電気的に接続されている。もう１つの下方の接点２３も同様の構成であり、トナー供給ローラ６の軸に圧接している。なお、この接点２３の接続関係は一例であって、感光体ドラム３やその他の画像形成要素に接続するようにしてもよい。
【００４０】
このイメージングカートリッジ１ｃも、図３，４，５に示す画像形成装置本体１０ａ，１０ｂ，１０ｃに着脱可能である。特に、イメージングカートリッジ１ｃの装着方向の左側に接点部材１５を有する図４に示す画像形成装置本体１０ｂに装着する場合に、画像形成装置本体１０ｂの幅寸法を縮小できるという利点を有する。
【００４１】
すなわち、図１３（ａ）に示すように、従来の側面に接点１０１を有するイメージングカートリッジ１０２を画像形成装置本体１０３に装着する場合、画像形成装置本体１０３には、高圧電源基板１０４よりイメージングカートリッジ１０２の側面に向かって突出するタブ部１０５を有している。そして、イメージングカートリッジ１０２を第１の方向Ｓ１に装着すると、このタブ部１０５に接点１０１が接触する。この従来例の場合、イメージングカートリッジ１０２の側面と画像形成装置本体１０３の壁面との間に接点１０１とタブ部１０４を設けるだけのスペースＷが必要であり、画像形成装置本体１０３の幅寸法が拡大する問題があった。
【００４２】
これに対し、本発明の第２実施形態に係るイメージングカートリッジ１ｃは、接点２３が第１面２ａと第２面２ｂとが形成する交線部に形成した面取り部２ｆに形成されているので、イメージングカートリッジ１ｃの第２面２ｂと画像形成装置本体１０ｂの側面との間に接点機構を設ける必要がない。また、画像形成装置本体１０ｂ側のタブ部２４がイメージングカートリッジ１ｃの第２面２ｂから接点２３に向かって突出する寸法Ｌと接点２３をオーバーラップさせることができ、画像形成装置本体１０ｂの幅方向のスペースを縮小することができる。
【００４３】
＜第３実施形態＞
図１４は、本発明の第３実施形態に係るイメージングカートリッジ１ｄを示す。このイメージングカートリッジ１ｄのケーシング２５の外面は、装着方向Ｓに直交する奥側すなわち第１面２５ａ、装着方向Ｓの下側の第２面２５ｂ、装着方向Ｓに対して右側の第３面２５ｃ、第３面２５ｃと反対側の第４面２５ｄ、第１面２５ａと反対側の第５面２５ｅを有している。ケーシング２５の第１面２５ａと第２面２５ｂにわたって２つの接点２６が形成されている。具体的には、第１面２５ａと第２面２５ｂの交線部に面取り部２５ｆが形成され、この面取り部２５ｆを横切るように第１面２５ａから第２面２５ｂにかけて帯状の接点２６が形成されている。
【００４４】
このイメージングカートリッジ１ｄも、前記実施形態のイメージングカートリッジ１ａ，１ｂ，１ｃと同様に、装着方向の異なる複数の画像形成装置本体に着脱可能であるが、特に、図１４に示すような構成の接点部材２７を有する画像形成装置本体では、以下に説明するようにイメージングカートリッジ１ｄの位置決めに接点圧を利用できるという利点がある。
【００４５】
すなわち、メージングカートリッジ１ｄが装着される図示しない画像形成装置本体には、スプリングワイヤからなる接点部材２７が設けられている。この接点部材２７は、略９０°に屈曲し、屈曲部２７ａがイメージングカートリッジ１ｄの面取り部２５ｆに接触するようにしている。接点部材２７の一端は、自由端で第１面２５ａに向かって延び、他端はケーシング２５に支持された捩りばね２７ｂの一端に接続されている。これにより、接点部材２７は、捩りばね２７ｂを介して画像形成装置本体に弾性支持されている。捩りばね２７ｂの他端は、図示しない電源基板に接続されている。
【００４６】
このイメージングカートリッジ１ｄを画像形成装置本体に装着すると、図１５（ａ）に示すように接点２６が接点部材２７の屈曲部２７ａに接触し、さらにイメージングカートリッジ１ｄを押し込むと、図１５（ｂ）に示すように、接点部材２７からの押圧力ｆの上方への分力ｆ１により、装着方向Ｓと直角方向に押圧されて、図示しない画像形成装置本体に設けた位置決め板２８に位置決めされる。このため、イメージングカートリッジ１ｄを位置決めするのに別個の押し付け部品を必要としない。
【図面の簡単な説明】
【００４７】
【図１】本発明の第１実施形態に係るイメージングカートリッジの斜視図。
【図２】図１のイメージングカートリッジのケーシングを一部破断した斜視図。
【図３】図１のイメージングカートリッジの第１の画像形成装置本体への装着状態を示す斜視図（ａ）、水平断面図（ｂ）。
【図４】図１のイメージングカートリッジの第２の画像形成装置本体への装着状態を示す斜視図（ａ）、水平断面図（ｂ）。
【図５】図１のイメージングカートリッジの第３の画像形成装置本体への装着状態を示す斜視図（ａ）、水平断面図（ｂ）。
【図６】図１のイメージングカートリッジの変形例を示す斜視図。
【図７】図６のイメージングカートリッジのケーシングを一部破断した斜視図。
【図８】図６のイメージングカートリッジの第１の画像形成装置本体への装着状態を示す斜視図（ａ）、水平断面図（ｂ）。
【図９】図６のイメージングカートリッジの第２の画像形成装置本体への装着状態を示す斜視図（ａ）、水平断面図（ｂ）。
【図１０】図６のイメージングカートリッジの第３の画像形成装置本体への装着状態を示す斜視図（ａ）、垂直断面図（ｂ）。
【図１１】本発明の第２実施形態に係るイメージングカートリッジの斜視図。
【図１２】図１１のイメージングカートリッジのケーシングを一部破断した斜視図。
【図１３】従来のイメージングカートリッジの接点構造と幅方向寸法の関係を示す平面図（ａ）、図１１のイメージングカートリッジの接点構造と幅方向寸法の関係を示す平面図（ｂ）。
【図１４】本発明の第２実施形態に係るイメージングカートリッジと画像形成装置本体の接点部材の斜視図。
【図１５】図１４のイメージングカートリッジを画像形成装置本体に装着してときの接点部材の作用を順に示す拡大図。
【符号の説明】
【００４８】
１ａ，１ｂ，１ｃ．１ｄ  イメージングカートリッジ
２  ケーシング
２ａ  第１面
２ｂ  第２面
２ｃ  第３面
２ｆ  面取り部
２ｇ  角部
３  感光体ドラム
４  帯電ローラ
５  現像ローラ
６  トナー供給ローラ
９  接点
１０ａ，１０ｂ，１０ｃ，１０ｄ  画像形成装置本体
１４  接点部材
１５  接点部材
１９  接点部材
２０  接点
２１  接点部材
２３  接点
２４  タブ部（接点部材）
２５  ケーシング
２６  接点
２７  接点部材
２８  位置決め板
【図１】
2010002701.tif 000003
【図２】
2010002701.tif 000004
【図３】
2010002701.tif 000005
【図４】
2010002701.tif 000006
【図５】
2010002701.tif 000007
【図６】
2010002701.tif 000008
【図７】
2010002701.tif 000009
【図８】
2010002701.tif 000010
【図９】
2010002701.tif 000011
【図１０】
2010002701.tif 000012
【図１１】
2010002701.tif 000013
【図１２】
2010002701.tif 000014
【図１３】
2010002701.tif 000015
【図１４】
2010002701.tif 000016
【図１５】
2010002701.tif 000017